(57)【要約】【課題】  電極の保守点検時に冷却媒体の飛散を防止し工場の環境の悪化を防ぎ、冷却媒体の有効な利用が可能で低コストのスポット溶接機における冷却媒体の回収方法及び装置を提供する。【解決手段】  電極３の保守点検時に、冷媒循環流路４に設けた冷媒流路６と大気流路７との方向切換弁５を大気流路に切り替えて冷媒循環流路に設けたポンプ１３により溶接機内の冷媒循環流路の冷却媒体を吸引して該冷却媒体を冷媒タンク１に回収すると共に溶接機内の冷媒循環流路に大気を進入させるようにしたスポット溶接機における冷却媒体の回収方法及び装置。【選択図】  図１
2005271041.tif 000002
【特許請求の範囲】
【請求項１】
冷媒タンクとスポット溶接機の電極間に電極冷却用の冷媒循環流路を形成して循環する冷却媒体により電極を冷却するスポット溶接機の電極冷却方法において、電極の保守点検時に、冷媒循環流路に設けた冷媒流路と大気流路との方向切換弁を大気流路に切り替えて冷媒循環流路に設けたポンプにより溶接機内の冷媒循環流路の冷却媒体を吸引して該冷却媒体を冷媒タンクに回収すると共に溶接機内の冷媒循環流路に大気を進入させるようにしたことを特徴とするスポット溶接機における冷却媒体の回収方法。
【請求項２】
冷媒タンクとスポット溶接機の電極間に電極冷却用の冷媒循環流路を形成して循環する冷却媒体により電極を冷却するスポット溶接機の電極冷却装置において、冷媒循環流路に、ポンプと、冷媒流路と大気流路との方向切換弁とを配置し、該方向切換弁の大気流路への切換と共に前記ポンプによる冷媒循環流路内の冷却媒体を吸引して冷媒タンクに回収するようにしたことを特徴とするスポット溶接機における冷却媒体の回収装置。
【請求項３】
冷媒循環流路の冷媒タンクへの排出側に冷媒循環用のポンプを配置し、前記冷媒タンクの吐出側に冷媒流路と大気流路の方向切換弁を配置したことを特徴とする請求項２記載のスポット溶接機における冷却媒体の回収装置。
【請求項４】
冷媒循環流路の冷媒タンクへの排出側に冷媒流路と大気流路の方向切換弁を配置し、前記冷媒タンクの吐出側に冷媒循環用の可逆動ポンプを配置したことを特徴とする請求項２記載のスポット溶接機における冷却媒体の回収装置。
【発明の詳細な説明】
【技術分野】
【０００１】
本発明は、冷媒タンクとスポット溶接機の電極間に電極冷却用の冷媒循環流路を形成して循環する冷却媒体により電極を冷却するスポット溶接機における電極の保守点検時の冷媒の回収方法及び装置に関するものである。
【背景技術】
【０００２】
従来、冷媒タンクとスポット溶接機の電極間に電極冷却用の冷媒循環流路を形成して循環する冷却媒体により電極を冷却するようにしたものがある（例えば、特許文献１参照。）。
【０００３】
また、冷却水の供給管路からスポット溶接機の電極を経て冷却水の排水管路に冷却水を流下させて電極を冷却するようにしたものにおいて、電極の保守点検時に、冷却水の供給管路に設けた止水弁（三方弁）を切り替えて該弁に圧縮空気を供給すると共に冷却水の供給を停止し、止水弁からスポット溶接機の電極を経て排水管路に至る間の冷却水を前記圧縮空気により押し出し排水するようにしたものが従来例として説明されている（例えば、特許文献２参照。）。
【０００４】
【特許文献１】特開平１０ー２６３８４３号公報
【特許文献２】特開平１１ー５８０２９号公報
【発明の開示】
【発明が解決しようとする課題】
【０００５】
ところで、前記従来技術の前者においては、冷媒タンクとスポット溶接機の電極間に電極冷却用の冷媒循環流路を形成して冷却媒体を循環させるようにしたので、冷却媒体の繰り返し使用が可能であるが、電極の保守点検時における冷却媒体の処理対策が施されていないため、溶接機から電極を取り外した際に該電極部から冷却媒体が工場フロアに飛散する虞れがある。
【０００６】
また、前記従来技術の後者においては、電極の保守点検時における冷却媒体の処理として、圧縮空気を用いて溶接機内の冷却水を排水流路に押し出し排出させるようにしている。しかしながら、この圧縮空気のみでは溶接機内の冷却水を完全に排除することはできず、溶接機から電極を取り外した際に溶接機内に残っている冷却水が溶接機内の残留空気圧によって電極部から工場フロアに飛散する虞れがある。
【０００７】
このように、従来の技術では、電極の保守点検時にいずれも冷却媒体が電極部から工場フロアに飛散することは避けられず、そのため、冷却媒体の使用量の節約が望めないと共に工場フロアを汚して工場の環境不良を起こすという問題がある。
【０００８】
本発明は、従来の技術の有するこのような問題点に鑑みてなされたものであり、その目的とするところは、電極の保守点検時に冷却媒体の飛散を防止し工場の環境の悪化を防ぎ、冷却媒体の有効な利用が可能で低コストのスポット溶接機における冷却媒体の回収方法及び装置を提供しようとするものである。
【課題を解決するための手段】
【０００９】
上記目的を達成するために、本発明におけるスポット溶接機における冷却媒体の回収方法は、冷媒タンクとスポット溶接機の電極間に電極冷却用の冷媒循環流路を形成して循環する冷却媒体により電極を冷却するスポット溶接機の電極冷却方法において、電極の保守点検時に、冷媒循環流路に設けた冷媒流路と大気流路との方向切換弁を大気流路に切り替えて冷媒循環流路に設けたポンプにより溶接機内の冷媒循環流路の冷却媒体を吸引して該冷却媒体を冷媒タンクに回収すると共に溶接機内の冷媒循環流路に大気を進入させるようにしたことを特徴とするものである。
【００１０】
また、本発明におけるスポット溶接機における冷却媒体の回収装置は、冷媒タンクとスポット溶接機の電極間に電極冷却用の冷媒循環流路を形成して循環する冷却媒体により電極を冷却するスポット溶接機の電極冷却装置において、冷媒循環流路にポンプと、冷媒流路と大気流路との方向切換弁とを配置し、該方向切換弁の大気流路への切換と共に前記ポンプによる冷媒循環流路内の冷却媒体を吸引して冷媒タンクに回収するようにしたことを特徴とするものである。
【００１１】
そしてまた、冷媒循環流路の冷媒タンクへの排出側に冷媒循環用のポンプを配置し、前記冷媒タンクの吐出側に冷媒流路と大気流路の方向切換弁を配置したことを特徴とするものである。
【００１２】
また、冷媒循環流路の冷媒タンクへの排出側に冷媒流路と大気流路の方向切換弁を配置し、前記冷媒タンクの吐出側に冷媒循環用の可逆動ポンプを配置したことを特徴とするものである。
【発明の効果】
【００１３】
本発明におけるスポット溶接機における冷却媒体の回収方法及び装置では、電極の保守点検時に、冷媒循環流路に設けた冷媒流路と大気流路との方向切換弁を大気流路に切り替えて冷媒循環流路に設けたポンプにより溶接機内の冷媒循環流路の冷却媒体を吸引して該冷却媒体を冷媒タンクに回収すると共に溶接機内の冷媒循環流路に大気を進入させるようにしたので、溶接機内に循環している冷却媒体は、電極の保守点検時にポンプの吸引力によってほとんど全てが冷媒タンクに回収されて、溶接機の次回の運転動作時に電極の冷却に有効に使用される。そして、溶接機内の冷媒循環流路には大気を進入されていることから、溶接機から電極を取り外しても冷媒循環流路内は大気圧或は負圧状態にあり残留冷却媒体があってもこれが電極部から飛散することがない。したがって、工場の環境の悪化を防ぎ、冷却媒体の有効な利用が可能で低コストのスポット溶接機における冷却媒体の回収方法及び装置となる。
【発明を実施するための最良の形態】
【００１４】
添付図面を参照して本発明の実施例について説明する。
図１は本発明に係るスポット溶接機における冷却媒体の回収方法及び装置を実施する冷却媒体の流れを示す要部の回路図である。
【００１５】
図１において、１は冷媒タンク、２は電極３を備えたスポット溶接機であり、冷媒タンク１とスポット溶接機２の電極３間には電極冷却用の冷却媒体の冷媒循環流路４が形成されている。
【００１６】
５は前記冷媒循環流路４に設けた方向切換弁であり、該方向切換弁５は冷媒流路６と大気流路７を備えたものであり、これら冷媒流路６と大気流路７を適宜選択することにより冷媒循環流路４に冷却媒体を流すか大気を進入させかの動作を行うのである。そして、該方向切換弁５の大気流路７の入口にはフィルタ８と逆止弁９とを介して大気が供給されるようになっている。なお、方向切換弁５は手動切換弁或は電磁切換弁のいずれを用いてもよい。
【００１７】
１０は送風器１１と熱交換器１２とからなるラジエ―タであり、電極３で加熱された冷却媒体を冷やすためのものである。
【００１８】
１３はモ―タ１４とカップリング１５を備えたポンプであり、該ポンプ１３はモ―タ１４の駆動により動作し、前記冷媒循環流路４内の冷却媒体を前記冷媒タンク１に戻し且つ冷媒タンク１内の冷却媒体を前記方向切換弁５に送るようにしている。なお、１６はラジエ―タ１０とポンプ１３との間に配置された逆止弁，１７は冷媒タンク１から方向切換弁５へ冷却媒体を送る管の入口の冷媒タンク１内に設けたストレ―ナである。
【００１９】
以上のような構成からなり、スポット溶接機２を動作し、その電極３を冷却媒体で冷却するときには、ポンプ１３を駆動して、冷媒循環流路４内の冷却媒体を該ポンプ１３で吸引し、その冷却媒体を冷媒タンク１内に吐出し、冷媒タンク１内の冷却媒体を方向切換弁５を介して冷媒循環流路４内に循環させることにより電極３が冷却される。
【００２０】
そして、スポット溶接機２の動作を停止しその電極３の保守点検時には、先ず，方向切換弁５を大気流路７に切り替えて、フィルタ８と逆止弁９とを介して大気が方向切換弁５の大気流路７から冷媒循環流路４内に進入可能の状態とすると共に冷媒タンク１からの循環冷却媒体を方向切換弁５でストップさせることにより、冷媒循環流路４内の冷却媒体はポンプ１３で吸引されてポンプ１３から冷媒タンク１に排出されて該冷媒タンク１に回収され、また冷媒循環流路４内は冷却媒体の減少により前記方向切換弁５からの大気が容易に進入する。
【００２１】
冷媒循環流路４内の冷却媒体の回収がほぼ終了した状態で、ポンプ１３の駆動を停止してから、スポット溶接機２の電極３を溶接機２から取り外した場合，冷媒循環流路４内はほとんど大気圧か負圧の空気が充満しており、仮に少量の冷却媒体が残留していても、この残留している冷却媒体は噴出能力を有しないものとなっているため、電極３の取り外しによる冷却媒体の飛散現象は発生しない。
【００２２】
このような冷却媒体の回収方法及び装置では、電極３の取り外しによる冷却媒体の飛散現象は発生しないため工場の環境の悪化が防がれ、冷却媒体は確実に冷媒タンク１に回収されてその有効な利用が可能となる。
【００２３】
なお、この実施例では、冷媒循環流路４の冷媒タンク１への排出側に冷媒循環用のポンプ１３を配置し、前記冷媒タンク１の吐出側に冷媒流路６と大気流路７の方向切換弁５を配置したものを示した。
【００２４】
図２は本発明の他の実施例を示すものであり、この実施例ではポンプとして可逆動ポンプを採用した以外は先の実施例と実質的に同一であるので、同一部材には同一符号を付してその説明を省略する。
【００２５】
図２において、２０は可逆動ポンプであり、該ポンプ２０は冷媒タンク１の吐出側に配置され、冷媒循環流路４の冷媒タンク１への排出側には冷媒流路６と大気流路７の方向切換弁５が配置されている。なお、２１はパイロット付逆止弁である。
【００２６】
そして、スポット溶接機２を動作し、その電極３を冷却媒体で冷却するときには、ポンプ２０を駆動して、冷媒タンク１内の冷却媒体を該ポンプ２０により冷媒循環流路４内に送り、電極３を通り方向切換弁５の冷媒流路６を介して冷却媒体を冷媒タンク１内に戻すように冷却媒体を循環させることで、電極３が冷却される。
【００２７】
また、スポット溶接機２の動作を停止しその電極３の保守点検時には、先ず，方向切換弁５を大気流路７に切り替えて、大気が方向切換弁５の大気流路７から冷媒循環流路４内に進入可能の状態とすると共に可逆動ポンプ２０を逆転させることにより、冷媒循環流路４内の冷却媒体はポンプ２０で吸引されてポンプ２０から冷媒タンク１に排出されて該冷媒タンク１に回収され、また冷媒循環流路４内は冷却媒体の減少により前記方向切換弁５からの大気が容易に進入する。
【００２８】
冷媒循環流路４内の冷却媒体の回収がほぼ終了した状態で、ポンプ２０の駆動を停止してから、スポット溶接機２の電極３を溶接機２から取り外した場合，冷媒循環流路４内はほとんど大気圧か負圧の空気が充満しており、仮に少量の冷却媒体が残留していても、この残留している冷却媒体は噴出能力を有しないものとなっているため、電極３の取り外しによる冷却媒体の飛散現象は発生しない。
【００２９】
このような冷却媒体の回収方法及び装置でも、電極３の取り外しによる冷却媒体の飛散現象は発生しないため工場の環境の悪化が防がれ、冷却媒体は確実に冷媒タンク１に回収されてその有効な利用が可能となる。
【００３０】
なお、本発明で使用される冷却媒体としては水は当然のこととして、水に代えて錆止液或は不凍液等を用いてもよい。
【図面の簡単な説明】
【００３１】
【図１】図１は本発明に係るスポット溶接機における冷却媒体の回収方法及び装置を実施する冷却媒体の流れを示す要部の回路図である。
【図２】図２は他の実施例の冷却媒体の流れを示す要部の回路図である。
【符号の説明】
【００３２】
１                        冷媒タンク
２                        スポット溶接機
３                        電極
４                        冷媒循環流路
５                        方向切換弁
６                        冷媒流路
７                        大気流路
１３                      ポンプ
２０                      可逆動ポンプ
【図１】
2005271041.tif 000003
【図２】
2005271041.tif 000004